(57)【要約】【課題】シロッコファンの構成を有効に利用することで、ファン駆動用のモータの温度上昇を効果的に抑制する。【解決手段】本体ケース１の一面に本体吸込口２を、他面に本体吐出口３を形成する。本体ケース１内に風洞４と風洞４内に空気を吸い込むためのシロッコファン５とファン駆動用のモータ６と吸い込まれた空気を浄化するフィルター７とを備えた空気清浄機である。シロッコファン５の円筒状のファン体２１を支持する円盤状の回転基板２２の背面にモータ６をモータ保持部２３に保持して配設する。回転基板２２及びモータ保持部２３にモータ６に向けて風を導く空気導入孔２４、２５を形成する。【選択図】　　　　図１
2004020060.tif 000002
【特許請求の範囲】
【請求項１】
本体ケースの一面に本体吸込口を、他面に本体吐出口を形成し、本体ケース内に風洞と風洞内に空気を吸い込むためのシロッコファンとファン駆動用のモータと吸い込まれた空気を浄化するフィルターとを備えた空気清浄機であって、シロッコファンの円筒状のファン体を支持する円盤状の回転基板の背面にモータをモータ保持部に保持して配設し、回転基板及びモータ保持部にモータに向けて風を導く空気導入孔を形成して成ることを特徴とする空気清浄機。
【請求項２】
回転基板に形成された空気導入孔は、シロッコファンの中心を軸とする同心円状に複数個配置して成ることを特徴とする請求項１記載の空気清浄機。
【請求項３】
回転基板に形成された空気導入孔は、シロッコファンの中心を軸とする円弧状に形成して複数個配置して成ることを特徴とする請求項１記載の空気清浄機。
【請求項４】
モータ保持部に形成された空気導入孔は、シロッコファンの中心を軸とする同心円状に複数個配置して成ることを特徴とする請求項１記載の空気清浄機。
【請求項５】
シロッコファンの回転基板のモータ側の面に、空気導入孔に空気を誘い込むための羽根形状のリブを設けて成ることを特徴とする請求項２記載の空気清浄機。
【請求項６】
本体ケースの背面に裏カバーを付設して戻り風路を形成し、モータ保持部の空気導入孔に導入された空気を戻り風路に導出する導出口を形成し、フィルターよりも上流側の本体ケース部分に戻り風路に連通する戻り口を形成して成ることを特徴とする請求項１記載の空気清浄機。
【請求項７】
戻り風路にモータを駆動するための電源装置の一部もしくは全部を配置して成ることを特徴とする請求項６記載の空気清浄機。
【発明の詳細な説明】
【０００１】
【発明の属する技術分野】
本発明は、室内空気中に含まれる粉塵や臭気を捕捉して浄化する空気清浄機に関し、詳しくは、シロッコファンの構成を有効に利用することで、ファン駆動用のモータの温度上昇を効果的に抑制しようとする技術に係るものである。
【０００２】
【従来の技術】
従来、家庭内に発生する粉塵や臭気を捕集し、脱臭して浄化する空気清浄機は、本体ケースの前面に本体吸込口を、他面に本体吐出口を形成し、本体ケース内に風洞と風洞内に空気を吸い込むためのファンと駆動用のモータと吸い込まれた空気を浄化するフィルターとを備えている。
【０００３】
【発明が解決しようとする課題】
ところで、ファンを駆動するモータは、本体ケース外の背部に配設され、かつ、裏カバーにて覆われていて、モータは容易に温度上昇されるという問題があった。
【０００４】
本発明はこのような問題に鑑みてなされたものであり、回転基板に筒状のファン体を保持しているシロッコファンの構成を有効に利用することで、ファン駆動用のモータの温度上昇を効果的に抑制できる空気清浄機を提供することを課題とするものである。
【０００５】
【課題を解決するための手段】
請求項１の発明においては、本体ケース１の一面に本体吸込口２を、他面に本体吐出口３を形成し、本体ケース１内に風洞４と風洞４内に空気を吸い込むためのシロッコファン５とファン駆動用のモータ６と吸い込まれた空気を浄化するフィルター７とを備えた空気清浄機であって、シロッコファン５の円筒状のファン体２１を支持する円盤状の回転基板２２の背面にモータ６をモータ保持部２３に保持して配設し、回転基板２２及びモータ保持部２３にモータ６に向けて風を導く空気導入孔２４、２５を形成していることを特徴とするものである。
【０００６】
このような構成によれば、シロッコファン５の回転によって室内の空気を本体吸込口２から導入し、フィルター７によって浄化し、清浄な空気を本体吐出口３から吐出できながら、シロッコファン５の回転基板２２に形成した空気導入孔２４から空気を導入し、モータ保持部２３に形成している空気導入孔２５よりモータ６に向けて空気を送り込み、モータ６の冷却を図ることができるのであり、回転基板２２に筒状のファン体２１を保持しているシロッコファン５の構成を有効に利用することで、ファン駆動用のモータ６の温度上昇を効果的に低くできる。
【０００７】
請求項２の発明においては、回転基板２２に形成された空気導入孔２４は、シロッコファン５の中心を軸とする同心円状に複数個配置していることを特徴とするものである。このような構成によれば、シロッコファン５の中心を軸とする同心円状の複数個の空気導入孔２４よりの送風によって、シロッコファン５の冷却効果を、一層、高めることができる。この場合、空気導入孔２４を等間隔に配置することで、回転基板２２の回転バランスを向上させることができ、空気清浄機Ａの振動を抑制できる。
【０００８】
請求項３の発明においては、回転基板２２に形成された空気導入孔２４は、シロッコファン５の中心を軸とする円弧状に形成して複数個配置していることを特徴とするものである。このような構成によれば、シロッコファン５の中心を軸とする円弧状の複数個の空気導入孔２４よりの送風によって、モータ６の冷却効果を、一層、高めることができる。この場合、空気導入孔２４を等間隔に配置することで、回転基板２２の回転バランスを向上させることができ、空気清浄機Ａの振動を抑制できる。
【０００９】
請求項４の発明においては、モータ保持部２３に形成された空気導入孔２５は、シロッコファン５の中心を軸とする同心円状に複数個配置していることを特徴とするものである。このような構成によれば、モータ保持部２３に形成してあってシロッコファン５の中心を軸とする同心円状の複数個の空気導入孔２５よりの送風によって、モータ６に向けての空気の導入が安定的におこなえ、モータ６の冷却効果を、一層、高めることができ、送風の乱れをなくし、シロッコファン５の回転バランスを向上させて空気清浄機Ａの振動を抑制できる。
【００１０】
請求項５の発明においては、シロッコファン５の回転基板２２のモータ６側の面に、空気導入孔２４に空気を誘い込むための羽根形状のリブ２６を設けていることを特徴とするものである。このような構成によれば、回転基板２２の羽根状のリブ２６によって回転基板２２に形成した空気導入孔２４より空気を良好に吸込むことができ、モータ６の冷却効果を高めることができ、かつ、リブ２６によって回転基板２２の強度を高めることができる。
【００１１】
請求項６の発明においては、本体ケース１の背面に裏カバー１４を付設して戻り風路２７を形成し、モータ保持部２３の空気導入孔２５に導入された空気を戻り風路２７に導出する導出口２８を形成し、フィルター７よりも上流側の本体ケース１部分に戻り風路２７に連通する戻り口２９を形成していることを特徴とするものである。このような構成によれば、シロッコファン５を停止した場合に、例えば、本体吐出口３から本体ケース１内に侵入したごみを戻り風路２７をへてフィルター７の上流側に戻して捕捉することができ、本体ケース１の内部を清浄にできる。
【００１２】
請求項７の発明においては、戻り風路２７にモータ６を駆動するための電源装置の一部もしくは全部を配置していることを特徴とするものである。このような構成によれば、発熱部品の冷却を図ることができる。
【００１３】
【発明の実施の形態】
以下、本発明の実施の形態を図面に基づいて説明する。図１は空気清浄機の縦断面図である。図２は空気の流れを示す縦断面図である。図３は空気の流れを示す横断面図である。図４はシロッコファンと風洞を示す説明図である。図５は空気の流れを示す部分拡大断面図である。
【００１４】
空気清浄機Ａにおいて、表ケース１２と裏ケース１３とで前面が開口した本体ケース１を構成している。本体ケース１の前面には本体吸込口２を、上面には本体吐出口３を形成している。本体ケース１の前面には前カバー８を取り付け、裏ケース１３には裏カバー１４を取り付けている。本体吸込口２と前カバー８との間には、プレフィルタ１５と、電気的に粉塵を捕集する放電極ブロック１６と、機械的に粉塵を捕集する集塵フィルター１７とがそれぞれ収納されている。前カバー８にはカバー吸込口９を形成してあり、本体ケース１の表ケース１２と前カバー８の両側部には側部吸込口１０を形成している。
【００１５】
図２及び図３の矢印に示すように、前カバー８のカバー吸込口９と、本体ケース１と前カバー８の両側部に形成される側部吸込口１０とから室内の空気を吸込み、吸込まれた空気は本体吸込口２に流入し、プレフィルタ１５、放電極ブロック１６、集塵フィルター１７を順に通過して除塵、脱臭され、そして、浄化された空気が本体吐出口３から導出されるようになっている。
【００１６】
図４、図５に示すように、本体ケース１内には、裏ケース１３から突出したケース壁面により渦巻き形状の風洞４が形成されている。風洞４内にシロッコファン５を配設し、ファン駆動用のモータ６が裏ケース１３に取付けられている。この場合、裏ケース１３が内側に凹入してモータ保持部２３が形成されてモータ６が設置されている。符号３２は保持板で裏ケース１３に取付けられている。又、回転基板２２も内側に凹入している。モータ６の軸３１に回転基板２２が取付けられている。
【００１７】
以上の構成において、本発明は、図５に示すように、シロッコファン５の回転基板２２及びモータ保持部２３にモータ６に向けて風を導く空気導入孔２４、２５を形成している。
【００１８】
このような構成によれば、シロッコファン５の回転によって室内の空気を本体吸込口２から導入し、フィルター７によって浄化し、清浄な空気を本体吐出口３から吐出できながら、シロッコファン５の回転基板２２に形成した空気導入孔２４から空気を導入し、モータ保持部２３に形成している空気導入孔２５よりモータ６に向けて空気を送り込み、モータ６の冷却を図ることができるのであり、回転基板２２に筒状のファン体２１を保持しているシロッコファン５の構成を有効に利用することで、ファン駆動用のモータ６の温度上昇を効果的に低くできる。
【００１９】
図６に示すように、シロッコファン５の回転基板２２に形成された空気導入孔２４は、シロッコファン５の中心を軸とする同心円状に複数個配置されていて、シロッコファン５の中心を軸とする同心円状の複数個の空気導入孔２４よりの送風によって、シロッコファン５の冷却効果を、一層、高めることができる。この場合、空気導入孔２４を等間隔に配置してあり、回転基板２２の回転バランスを向上させることができ、空気清浄機Ａの振動を抑制できる。
【００２０】
図７に示すように、回転基板２２に形成された空気導入孔２４は、シロッコファン５の中心を軸とする円弧状に形成して複数個配置してもよく、シロッコファン５の中心を軸とする円弧状の複数個の空気導入孔２４よりの送風によって、モータ６の冷却効果を、一層、高めることができる。この場合、空気導入孔２４を等間隔に配置することで、回転基板２２の回転バランスを向上させることができ、空気清浄機Ａの振動を抑制できる。
【００２１】
図８に示すように、裏ケース１３を凹入して形成しているモータ保持部２３に形成された空気導入孔２５は、シロッコファン５の中心を軸とする同心円状に複数個配置していて、シロッコファン５の中心を軸とする同心円状の複数個の空気導入孔２５よりの送風によって、モータ６に向けての空気の導入が安定的におこなえ、モータ６の冷却効果を、一層、高めることができ、送風の乱れをなくし、シロッコファン５の回転バランスを向上させて空気清浄機Ａの振動を抑制できる。
【００２２】
図９に示すように、シロッコファン５の回転基板２２のモータ６側の面に、空気導入孔２４に空気を誘い込むための羽根形状のリブ２６を設けている。このような構成によれば、回転基板２２の羽根状のリブ２６によって回転基板２２に形成した空気導入孔２４より空気を良好に吸込むことができ、モータ６の冷却効果を高めることができ、かつ、リブ２６によって回転基板２２の強度を高めることができる。
【００２３】
図１０に示すように、本体ケース１の裏ケース１３の背面に裏カバー１４を付設して戻り風路２７を形成している。モータ保持部２３にはモータ保持部２３の空気導入孔２５に導入された空気を戻り風路２７に導出する導出口２８を形成している。又、フィルター７よりも上流側の本体ケース１部分に孔を形成して戻り風路２７に連通する戻り口２９を形成している。このような構成によれば、シロッコファン５を停止した場合に、例えば、本体吐出口３から本体ケース１内に侵入したごみを戻り風路２７をへてフィルター７の上流側に戻して捕捉することができ、本体ケース１の内部を清浄にできる。又、内部に溜まった塵埃ｄは排出口３４より排出される。
【００２４】
この場会、戻り風路２７にモータ６を駆動するための電源装置３３（図１参照）の一部もしくは全部を配置していて、発熱部品の冷却を図っている。
【００２５】
【発明の効果】
請求項１の発明においては、本体ケースの一面に本体吸込口を、他面に本体吐出口を形成し、本体ケース内に風洞と風洞内に空気を吸い込むためのシロッコファンとファン駆動用のモータと吸い込まれた空気を浄化するフィルターとを備えた空気清浄機であって、シロッコファンの円筒状のファン体を支持する円盤状の回転基板の背面にモータをモータ保持部に保持して配設し、回転基板及びモータ保持部にモータに向けて風を導く空気導入孔を形成しているから、シロッコファンの回転によって室内の空気を本体吸込口から導入し、フィルターによって浄化し、清浄な空気を本体吐出口から吐出できながら、シロッコファンの回転基板に形成した空気導入孔から空気を導入し、モータ保持部に形成している空気導入孔よりモータに向けて空気を送り込み、モータの冷却を図ることができるのであり、回転基板に筒状のファン体を保持しているシロッコファンの構成を有効に利用することで、ファン駆動用のモータの温度上昇を効果的に低くできるという利点がある。
【００２６】
請求項２の発明においては、請求項１の効果に加えて、回転基板に形成された空気導入孔は、シロッコファンの中心を軸とする同心円状に複数個配置しているから、シロッコファンの中心を軸とする同心円状の複数個の空気導入孔よりの送風によって、シロッコファンの冷却効果を、一層、高めることができるという利点がある。
【００２７】
請求項３の発明においては、請求項１の効果に加えて、回転基板に形成された空気導入孔は、シロッコファンの中心を軸とする円弧状に形成して複数個配置しているから、シロッコファンの中心を軸とする円弧状の複数個の空気導入孔よりの送風によって、モータの冷却効果を、一層、高めることができるという利点がある。
【００２８】
請求項４の発明においては、請求項１の効果に加えて、モータ保持部に形成された空気導入孔は、シロッコファンの中心を軸とする同心円状に複数個配置しているから、モータ保持部に形成してあってシロッコファンの中心を軸とする同心円状の複数個の空気導入孔よりの送風によって、モータに向けての空気の導入が安定的におこなえ、モータの冷却効果を、一層、高めることができ、送風の乱れをなくし、シロッコファンの回転バランスを向上させて空気清浄機の振動を抑制できるという利点がある。
【００２９】
請求項５の発明においては、請求項２の効果に加えて、シロッコファンの回転基板のモータ側の面に、空気導入孔に空気を誘い込むための羽根形状のリブを設けているから、回転基板の羽根状のリブによって回転基板に形成した空気導入孔より空気を良好に吸込むことができ、モータの冷却効果を高めることができ、かつ、リブによって回転基板の強度を高めることができるという利点がある。
【００３０】
請求項６の発明においては、請求項１の効果に加えて、本体ケースの背面に裏カバーを付設して戻り風路を形成し、モータ保持部の空気導入孔に導入された空気を戻り風路に導出する導出口を形成し、フィルターよりも上流側の本体ケース部分に戻り風路に連通する戻り口を形成しているから、シロッコファンを停止した場合に、例えば、本体吐出口から本体ケース内に侵入したごみを戻り風路をへてフィルターの上流側に戻して捕捉することができ、本体ケースの内部を清浄にできるという利点がある。
【００３１】
請求項７の発明においては、請求項６の効果に加えて、戻り風路にモータを駆動するための電源装置の一部もしくは全部を配置しているから、発熱部品の冷却を図ることができるという利点がある。
【図面の簡単な説明】
【図１】本発明の実施の一形態の縦断面図である。
【図２】同上の空気の流れを示す縦断面図である。
【図３】同上の空気の流れを示す横断面図である。
【図４】同上のシロッコファンと風洞を示す説明図である。
【図５】同上の空気の流れを示す部分拡大断面図である。
【図６】同上のシロッコファンの空気導入孔を示す正面図である。
【図７】同上の他の実施の形態を示す正面図である。
【図８】同上のモータ保持部の空気導入孔を示す正面図である。
【図９】同上のシロッコファンのリブを示し、（ａ）は正面図、（ｂ）は断面図である。
【図１０】同上の戻り風路における空気の流れを示す断面図である。
【符号の説明】
１　　本体ケース
２　　本体吸込口
３　　本体吐出口
４　　風洞
５　　シロッコファン
６　　モータ
７　　フィルター
２１　ファン体
２２　回転基板
２３　モータ保持部
２４　空気導入孔
２５　空気導入孔
【図１】
2004020060.tif 000003
【図２】
2004020060.tif 000004
【図３】
2004020060.tif 000005
【図４】
2004020060.tif 000006
【図５】
2004020060.tif 000007
【図６】
2004020060.tif 000008
【図７】
2004020060.tif 000009
【図８】
2004020060.tif 000010
【図９】
2004020060.tif 000011
【図１０】
2004020060.tif 000012